(57)【要約】【課題】モバイル検索環境でモバイルＵＲＬを提供するシステムおよびその方法を開示する。【解決手段】モバイル環境でユーザ端末機に検索サービスを提供するシステムであって、検索サービスの検索結果としてサイト情報が表示される検索対象について、検索対象と関連するモバイルＵＲＬを収集する収集部、モバイルＵＲＬの有効性を判断する判断部、およびモバイルＵＲＬの有効性に応じてモバイルＵＲＬを検索結果として提供する提供部を含む、モバイルＵＲＬ提供システムが提供される。【選択図】図２
2014186719.tif 000002
【特許請求の範囲】
【請求項１】
モバイル環境でユーザ端末機に検索サービスを提供するシステムであって、
前記検索サービスの検索結果としてサイト情報が表示される検索対象について、前記検索対象と関連するモバイルＵＲＬを収集する収集部、
前記モバイルＵＲＬの有効性を判断する判断部、および
前記モバイルＵＲＬの有効性に応じて前記モバイルＵＲＬを前記検索結果として提供する提供部
を含む、モバイルＵＲＬ提供システム。
【請求項２】
前記収集部は、
ユーザエージェント（ｕｓｅｒ  ａｇｅｎｔ）情報をモバイル機器を表す情報に変更して前記モバイルＵＲＬを収集すること
を特徴とする、請求項１に記載のモバイルＵＲＬ提供システム。
【請求項３】
前記収集部は、
前記検索対象のＰＣ  ＵＲＬで収集されたリンク情報から前記モバイルＵＲＬを抽出して収集すること
を特徴とする、請求項１に記載のモバイルＵＲＬ提供システム。
【請求項４】
前記収集部は、
前記検索対象と関連するウェブ文書から前記モバイルＵＲＬを抽出して収集すること
を特徴とする、請求項１に記載のモバイルＵＲＬ提供システム。
【請求項５】
前記収集部は、
前記検索対象について、前記ユーザ端末機にランディングされたページのＵＲＩから前記モバイルＵＲＬを抽出して収集すること
を特徴とする、請求項１に記載のモバイルＵＲＬ提供システム。
【請求項６】
前記収集部は、
前記検索結果に前記検索対象のサイト情報のうちでＰＣ  ＵＲＬだけが表示される場合に、前記モバイルＵＲＬを収集すること
を特徴とする、請求項１に記載のモバイルＵＲＬ提供システム。
【請求項７】
前記判断部は、
前記モバイルＵＲＬに対してリダイレクト（ｒｅｄｉｒｅｃｔ）の可否、メタタグ（ｍｅｔａｔａｇ）に含まれたモバイルオプションの有無、ＵＲＬのストリング（ｓｔｒｉｎｇ）の含有の有無のうちの少なくとも１つの属性を利用して前記モバイルＵＲＬの有効性を判断すること
を特徴とする、請求項１に記載のモバイルＵＲＬ提供システム。
【請求項８】
前記判断部は、
前記検索対象のＰＣ  ＵＲＬにモバイルＵＲＬがマッピングされている場合、前記属性を利用して前記マッピングされたモバイルＵＲＬの有効性を判断すること
を特徴とする、請求項７に記載のモバイルＵＲＬ提供システム。
【請求項９】
前記提供部は、
前記検索対象のサイト情報のうちでＰＣ  ＵＲＬだけが表示される検索結果に前記モバイルＵＲＬを追加して表示すること
を特徴とする、請求項１に記載のモバイルＵＲＬ提供システム。
【請求項１０】
モバイル環境でユーザ端末機に検索サービスを提供する方法であって、
前記検索サービスの検索結果としてサイト情報が表示される検索対象について、
前記検索対象と関連するモバイルＵＲＬを収集すること、
前記モバイルＵＲＬの有効性を判断すること、および
前記モバイルＵＲＬの有効性に応じて前記モバイルＵＲＬを前記検索結果として提供すること
を含む、モバイルＵＲＬ提供方法。
【請求項１１】
前記モバイルＵＲＬを収集することは、
ユーザエージェントをモバイル機器に変更して前記モバイルＵＲＬを収集すること
を特徴とする、請求項１０に記載のモバイルＵＲＬ提供方法。
【請求項１２】
前記モバイルＵＲＬを収集することは、
前記検索対象のＰＣ  ＵＲＬで収集されたリンク情報から前記モバイルＵＲＬを抽出して収集すること
を特徴とする、請求項１０に記載のモバイルＵＲＬ提供方法。
【請求項１３】
前記モバイルＵＲＬを収集することは、
前記検索対象と関連するウェブ文書から前記モバイルＵＲＬを抽出して収集すること
を特徴とする、請求項１０に記載のモバイルＵＲＬ提供方法。
【請求項１４】
前記モバイルＵＲＬを収集することは、
前記検索対象について，前記ユーザ端末機にランディングされたページのＵＲＩから前記モバイルＵＲＬを抽出して収集すること
を特徴とする、請求項１０に記載のモバイルＵＲＬ提供方法。
【請求項１５】
前記モバイルＵＲＬを収集することは、
前記検索結果に前記検索対象のサイト情報のうちでＰＣ  ＵＲＬだけが表示される場合に、前記モバイルＵＲＬを収集すること
を特徴とする、請求項１０に記載のモバイルＵＲＬ提供方法。
【請求項１６】
前記モバイルＵＲＬの有効性を判断することは、
前記モバイルＵＲＬに対してリダイレクトの可否、メタタグに含まれたモバイルオプションの有無、ＵＲＬのストリングの含有の有無のうちの少なくとも１つの属性を利用して前記モバイルＵＲＬの有効性を判断すること
を特徴とする、請求項１０に記載のモバイルＵＲＬ提供方法。
【請求項１７】
前記モバイルＵＲＬの有効性を判断することは、
前記検索対象のＰＣ  ＵＲＬにモバイルＵＲＬがマッピングされている場合、前記属性を利用して前記マッピングされたモバイルＵＲＬの有効性を判断すること
を特徴とする、請求項１６に記載のモバイルＵＲＬ提供方法。
【請求項１８】
前記モバイルＵＲＬを前記検索結果として提供することは、
前記検索対象のサイト情報のうちでＰＣ  ＵＲＬだけが表示される検索結果に前記モバイルＵＲＬを追加して表示すること
を特徴とする、請求項１０に記載のモバイルＵＲＬ提供方法。
【請求項１９】
コンピュータシステムがモバイル環境でユーザ端末機に検索サービスを提供するように制御する命令を含むコンピュータで読み取り可能な格納媒体であって、
前記命令は、
前記検索サービスの検索結果としてサイト情報が表示される検索対象について、
前記検索対象と関連するモバイルＵＲＬを収集すること、
前記モバイルＵＲＬの有効性を判断すること、および
前記モバイルＵＲＬの有効性に応じて前記モバイルＵＲＬを前記検索結果として提供すること
を含む方法によって前記コンピュータシステムを制御する、コンピュータで読み取り可能な格納媒体。
【発明の詳細な説明】
【技術分野】
【０００１】
本発明は、モバイル検索環境でモバイルＵＲＬ（ｕｎｉｆｏｒｍ  ｒｅｓｏｕｒｃｅ  ｌｏｃａｔｏｒ）の使用性を高めるためのモバイルＵＲＬ提供システムおよびその方法に関する。
【背景技術】
【０００２】
情報通信技術の発達によって情報化社会へと進んでいる中で、社会、文化、および経済などの全分野においてインターネットが重要かつ必須な媒体として位置づけられている。
【０００３】
インターネットサイトのＵＲＬ情報を熟知していなくても、インターネット上に氾濫している膨大な量の情報の中から、自分が所望する情報を探してくれるソフトウェアが登場するようになった。このようなソフトウェアは、検索エンジン（Ｓｅａｒｃｈ  Ｅｎｇｉｎｅ）と呼ばれている。
【０００４】
検索エンジンの原理は、ウェブロボットやスパイダ（Ｓｐｉｄｅｒ）プログラムと呼ばれる所定の検索プログラムがインターネット上に開設されている多数のサイトを巡回しながら、予め収集されたウェブサイトの情報をデータベースに格納した後、ユーザが入力した特定の検索語を受信すれば、データベースから受信した検索語と一致する内容があるウェブサイトのアドレスのみを選択してユーザに提供する。
【０００５】
一方、検索語に対して膨大なウェブサイトを提供するという問題点を解決するために、検索エンジンを提供するそれぞれの検索サイトは、該当の検索語に対するショートカットサービスを提供している。韓国公開特許第１０−２００８−００９６１７３号公報（公開日２００８年１０月３０日）には、検索語に対する効率的なショートカットサービスを提供する検索サービス提供装置およびその方法が開示されている。
【０００６】
モバイル機器を利用した検索環境では、モバイル環境に最適化されたモバイルウェブサイト（以下、「モバイルＵＲＬ」とする）に対する利用要求が増加している中で、モバイルＵＲＬを、検索語に対するショートカット検索結果としてＰＣ環境に最適化されたＰＣウェブサイトのＵＲＬ（以下、「ＰＣ  ＵＲＬ」とする）と共に提供したりもしている。
【０００７】
しかし、従来の方法によると、管理者がショートカットサービスのために各検索語に対応するショートカットサイトを周期的に登録しなければならないため、ショートカットサイトの更新および管理が困難であるという問題があった。さらに、従来の検索環境では、管理者が手作業でサイトのモバイルＵＲＬをデータベースに直接登録する前だと、モバイルＵＲＬがショートカット検索結果またはサイト検索結果に反映されず、モバイルＵＲＬの使用度が低かった。
【先行技術文献】
【特許文献】
【０００８】
【特許文献１】韓国公開特許第１０−２００８−００９６１７３号公報
【発明の概要】
【発明が解決しようとする課題】
【０００９】
本発明は、ウェブサイトのモバイルＵＲＬを自動で収集して検索結果に反映することができるモバイルＵＲＬ提供システムおよびその方法を提供することを目的とする。
【００１０】
また、本発明は、モバイル検索環境でモバイルＵＲＬを積極的に表示し、モバイルＵＲＬの使用性を高めることができるモバイルＵＲＬ提供システムおよびその方法を提供することを他の目的とする。
【課題を解決するための手段】
【００１１】
本発明の実施形態によれば、モバイル環境でユーザ端末機に検索サービスを提供するシステムであって、検索サービスの検索結果としてサイト情報が表示される検索対象について、検索対象と関連するモバイルＵＲＬを収集する収集部、モバイルＵＲＬの有効性を判断する判断部、およびモバイルＵＲＬの有効性に応じてモバイルＵＲＬを検索結果として提供する提供部を含むモバイルＵＲＬ提供システムが提供される。
【００１２】
一側面によれば、収集部は、ユーザエージェント（ｕｓｅｒ  ａｇｅｎｔ）情報をモバイル機器を表す情報に変更してモバイルＵＲＬを収集してもよい。
【００１３】
他の側面によれば、収集部は、検索対象のＰＣ  ＵＲＬで収集されたリンク情報からモバイルＵＲＬを抽出して収集してもよい。
【００１４】
さらに他の側面によれば、収集部は、検索対象と関連するウェブ文書からモバイルＵＲＬを抽出して収集してもよい。
【００１５】
さらに他の側面によれば、収集部は、検索対象について、ユーザ端末機にランディングされたページのＵＲＩからモバイルＵＲＬを抽出して収集してもよい。
【００１６】
さらに他の側面によれば、収集部は、検索結果に検索対象のサイト情報のうちＰＣ  ＵＲＬだけが表示される場合に、モバイルＵＲＬを収集してもよい。
【００１７】
さらに他の側面によれば、判断部は、モバイルＵＲＬに対し、リダイレクト（ｒｅｄｉｒｅｃｔ）の可否、メタタグ（ｍｅｔａ  ｔａｇ）に含まれたモバイルオプションの有無、ＵＲＬのストリング（ｓｔｒｉｎｇ）の含有の有無のうちの少なくとも１つの属性を利用してモバイルＵＲＬの有効性を判断してもよい。
【００１８】
さらに他の側面によれば、判断部は、検索対象のＰＣ  ＵＲＬにモバイルＵＲＬがマッピングされている場合、上記属性を利用してマッピングされたモバイルＵＲＬの有効性を判断してもよい。
【００１９】
さらに他の側面によれば、提供部は、検索対象のサイト情報のうちＰＣ  ＵＲＬだけが表示される検索結果にモバイルＵＲＬを追加して表示してもよい。
【００２０】
本発明の実施形態によれば、モバイル環境でユーザ端末機に検索サービスを提供する方法であって、検索サービスの検索結果としてサイト情報が表示される検索対象について、検索対象と関連するモバイルＵＲＬを収集すること、モバイルＵＲＬの有効性を判断すること、およびモバイルＵＲＬの有効性に応じてモバイルＵＲＬを検索結果として提供することを含むモバイルＵＲＬ提供方法が提供される。
【発明の効果】
【００２１】
本発明の実施形態によれば、検索サービスの検索結果にモバイルＵＲＬが表示されないウェブサイトについてモバイルＵＲＬを自動収集し、収集されたモバイルＵＲＬを検索結果に反映することができる。
【００２２】
また、本発明の実施形態によれば、モバイルリダイレクトを利用してＵＲＬの収集対象の有効性を直接評価して検索結果に追加するモバイルＵＲＬを選別することにより、検索結果に正確度の高い対象を反映することができる。
【００２３】
さらに、本発明の実施形態によれば、モバイル検索環境で検索結果にモバイルＵＲＬを積極的に表示することにより、モバイルウェブサイトの認知度はもちろん、使用性を向上させることができる。
【図面の簡単な説明】
【００２４】
【図１】本発明の一実施形態において、モバイル環境で検索語に対応する検索結果を提供する検索サービスの概念を説明するための例示図である。
【図２】本発明の一実施形態において、モバイルＵＲＬ提供システムの内部構成を示したブロック図である。
【図３】本発明の一実施形態において、モバイルＵＲＬ提供方法のプロセスを示したフローチャートである。
【図４】本発明の一実施形態において、モバイルＵＲＬ提供方法のプロセスを示したフローチャートである。
【発明を実施するための形態】
【００２５】
以下、本発明の実施形態について、添付の図面を参照しながら詳細に説明する。
【００２６】
なお、本実施形態は、インターネット上の情報のうち、所定の条件とマッチする情報を検索する検索システムに適用することもできる。
【００２７】
図１は、本発明の一実施形態において、モバイル環境でユーザ端末機に検索語に対応する検索結果を提供する検索サービスの概念を説明するための例示図である。
【００２８】
本明細書において、「検索サービス」とは、ショートカットサービス、サイト検索サービス、キーワード検索サービスなど、検索結果としてサイトのアドレスが直接表示される形態のすべての検索サービスを意味してもよい。
【００２９】
図１を参照すれば、検索サービスの位置形態として、検索語１１０に対するサイト情報が表示されるショートカット検索結果１２０が提供されてもよい。このようなショートカットサービスでは、検索語１１０に対応するショートカットサイトのＵＲＬが検索結果として表示されるが、このとき、ＰＣ  ＵＲＬ１２１だけが表示される場合（図面符号１０１の例示画面）が多く、管理者がモバイルＵＲＬをデータベースに登録する前にはモバイルＵＲＬが表示されない。
【００３０】
モバイル検索環境で使用性が優れたモバイルＵＲＬが存在する場合には、ショートカットのＣＴＲ（ｃｌｉｃｋ  ｔｈｒｏｕｇｈ  ｒａｔｉｏ）が高くなるにもかかわらず、各検索語に対するショートカットサイトにモバイルＵＲＬが存在する場合は極めて少ない。
【００３１】
そこで、本実施形態では、モバイル検索環境でモバイルＵＲＬのショートカットの使用度を高めるために、モバイルＵＲＬを積極的に表示するための技術を提案する。
【００３２】
本実施形態に係るモバイルＵＲＬ提供システム１００は、検索サービスの検索結果としてサイト情報が表示される検索対象のうち、モバイルＵＲＬが表示されない対象１０１に対してモバイルＵＲＬを収集した後、ＰＣ  ＵＲＬ１２１だけが表示されていた検索結果１２０に収集されたモバイルＵＲＬ１２２を自動で追加する（図面符号１０２の例示画面）役割を行ってもよい。
【００３３】
モバイルＵＲＬの需給は、利用者の参加や内部需給に局限されており、ウェブクロール（ｗｅｂ  ｃｒａｗｌ）ロボットを利用してモバイルＵＲＬを収集し、該当の情報を検索結果にＰＣ  ＵＲＬと共に表示する形態であってもよい。本実施形態では、既存のロボットによる収集方法とは異なり、ＵＡ（ｕｓｅｒ−ａｇｅｎｔ）、メタタグ、ＵＲＬパターンなどを総合的に分析してモバイルＵＲＬを自動収集したり評価したりしてもよい。
【００３４】
モバイルＵＲＬ提供システム１００の構成および各構成の機能を詳しく説明すれば、次のとおりとなる。
【００３５】
図２は本発明の一実施形態において、モバイルＵＲＬ提供システムの内部構成を示したブロック図である。図２に示すように、一実施形態に係るモバイルＵＲＬ提供システム２００は、収集部２１０、判断部２２０、および提供部２３０を含んで構成されてもよい。
【００３６】
収集部２１０は、検索サービスの検索結果としてサイト情報が表示される検索対象について、検索対象と関連するモバイルＵＲＬを収集する役割を行ってもよい。このとき、サイト情報とは、ウェブサイト名とアドレス、ファイルがあるディレクトリの位置、ファイル名などで構成されたコンピュータネットワーク上の情報を意味してもよく、ＰＣ環境に最適化されたＰＣウェブサイトのＵＲＬ（ＰＣ  ＵＲＬ）とモバイル環境に最適化されたモバイルウェブサイト（モバイルＵＲＬ）とに区分されてもよい。一例として、収集部２１０は、検索サービスの検索結果としてモバイルＵＲＬが表示されていないＰＣ  ＵＲＬを適用対象として選定してモバイルＵＲＬを収集してもよい。
【００３７】
本実施形態では、モバイルＵＲＬを収集するために、ウェブクロールロボットやスパイダプログラムと呼ばれる所定の検索プログラムなどを活用してもよい。このとき、収集部２１０は、ユーザエージェント（ＵＡ）情報をモバイル機器（例えば、アンドロイドやアイフォンなどに代表される携帯可能な端末装置）に変更してモバイルＵＲＬを収集してもよい。一例として、収集部２１０は、検索対象のＰＣ  ＵＲＬ内で収集されたリンク情報とリンク名（ａｎｃｈｏｒ  ｔｅｘｔ）からモバイル／モバイルウェブの関連情報を抽出する方法を利用してモバイルＵＲＬを収集してもよい。他の例として、収集部２１０は、検索対象に関するウェブ文書からモバイル／モバイルウェブの関連情報を抽出する方法を利用してモバイルＵＲＬを収集してもよい。例えば、収集部２１０は、ＰＣ  ＵＲＬのサイト内の文書やニュース、ブログなど、検索対象と関連のあるインターネット上の掲示物などからモバイルＵＲＬを抽出してもよい。さらに他の例として、収集部２１０は、ユーザが検索結果からＰＣ  ＵＲＬを選択する場合、ユーザ端末機（すなわち、モバイル機器）に最終的にランディングされたページのＵＲＩ（ｕｎｉｆｏｒｍ  ｒｅｓｏｕｒｃｅ  ｉｄｅｎｔｉｆｉｅｒ）からモバイルＵＲＬを抽出して収集してもよい。本実施形態において、モバイルＵＲＬを抽出するためには、ＵＲＩパターン、すなわち、モバイルＵＲＬとして検証されたパターン（例えば、「ｍ．ＸＸＸＸ．ＸＸＸＸ」、「ＸＸＸ．ＸＸＸ．ＸＸＸ／ｍ」、「ｍｏｂｉｌｅ．ＸＸＸＸ．ＸＸＸＸ」、「ＸＸＸ．ＸＸＸ．ＸＸＸ／ｍｏｂｉｌｅ」など）を確認する方法、メタタグからモバイル関連情報を確認する方法などを利用してもよい。
【００３８】
判断部２２０は、収集部２１０で収集されたモバイルＵＲＬの有効性を判断する役割を行ってもよい。これは、検索サービスの検索結果としてモバイルＵＲＬが表示されていないＰＣ  ＵＲＬに対し、モバイルリダイレクトのＵＲＬの収集対象のうちで正確度の高い対象を選別して検索結果に反映しようとするものである。本実施形態において、判断部２２０は、収集されたモバイルＵＲＬに対し、リダイレクトの可否（Ｔ（ｔｒｕｅ）／Ｆ（ｆａｌｓｅ））、メタタグに含まれたモバイルオプションの可否（Ｔ／Ｆ）、モバイルＵＲＬとして検証されたストリングの含有の有無（Ｔ／Ｆ）のうちの少なくとも１つの属性を利用して有効なモバイルＵＲＬを選別してもよい。このとき、判断部２２０は、モバイルＵＲＬの正確度を保証するために、上述した３種類の属性のうちで２種類がＴ（ｔｒｕｅ）である対象または３種類の属性すべてがＴである対象を有効なモバイルＵＲＬとして判断してもよい。さらに、判断部２２０は、検索結果としてモバイルＵＲＬが表示されなくても、検索対象のＰＣ  ＵＲＬにモバイルＵＲＬが事前にマッピングされている場合には、既にマッピングされたモバイルＵＲＬに対する有効性を判断するために上述した３種類の属性を利用してもよい。例えば、上述した３種類の属性値がすべてＴである対象に対して選別する方法を反映することにより、ＰＣ  ＵＲＬに対する既存のマッピング情報に対する有効性を確認してもよい。
【００３９】
提供部２３０は、有効性の確認によって選別されたモバイルＵＲＬを検索サービスの検索結果として提供してもよい。一例として、提供部２３０は、検索対象のサイト情報のうちでＰＣ  ＵＲＬだけが表示されている検索結果に、上述した過程で選別されたモバイルＵＲＬを自動で追加して表示してもよい。
【００４０】
上述したような構成によれば、本実施形態は、検索サービスの検索結果にモバイルＵＲＬが表示されていないウェブサイトについてモバイルＵＲＬを自動収集し、収集されたモバイルＵＲＬを検索結果に反映することにより、該当のサイトに対するモバイルＵＲＬの認知度および使用度を高めることができる。
【００４１】
図３および図４は、本発明の一実施形態において、モバイルＵＲＬ提供方法のプロセスを示したフローチャートである。一実施形態に係るモバイルＵＲＬの提供方法は、図２を参照しながら説明したモバイルＵＲＬの提供システムによって各ステップが実行されてもよい。
【００４２】
本実施形態では、統合ＩＤに収集されたＵＲＬにアップデートして反映してもよい。このとき、１つのオブジェクトにＵＲＬの性格が異なるＰＣ  ＵＲＬとモバイルＵＲＬとを格納するためには、一連の番号、すなわち、文書内の統合ＩＤを付与することになるが、ＵＲＬが可変的であるため、通常のサービスの適用時にＵＲＬに該当のＩＤをマッピングして送信する。言い換えれば、統合ＩＤは、ＰＣ  ＵＲＬとモバイルＵＲＬをマッピングするために利用されるものであって、可変的な情報であるＰＣ  ＵＲＬが収集期間中に変更することがあるため、永続性を確保して対象を探し易くするために該当の統合ＩＤを共に送信する。
【００４３】
図３を参照すれば、モバイルＵＲＬ提供システムでは、自動で収集された情報のうちの有効な対象（例えば、メタタグに含まれたモバイルオプションの可否とモバイルＵＲＬとして検証されたストリング含有の有無のうちの１つ以上の属性値がＴである対象）について、現在モバイルＵＲＬがマッピングされているか否かを確認してもよい（Ｓ３１０）。
【００４４】
このとき、モバイルＵＲＬ提供システムは、現在モバイルＵＲＬがマッピングされていない場合には、自動で反映されるＵＲＬについて統合ＩＤの有無を確認した後（Ｓ３２０）、統合ＩＤがなければ、自動で収集された内容でモバイルＵＲＬに対する新規の追加を登録し（Ｓ３３０）、統合ＩＤがあれば、自動で収集された内容でモバイルＵＲＬに対するすべての情報をアップデートしてもよい（Ｓ３４０）。
【００４５】
一方、モバイルＵＲＬ提供システムは、現在モバイルＵＲＬがマッピングされている場合には、リダイレクトの可否がＴである対象について自動収集されたリダイレクトの属性値を確認してもよい（Ｓ３５０）。ここで、モバイルＵＲＬ提供システムは、自動収集されたリダイレクトの属性値がＦ（ｆａｌｓｅ）の場合には、リダイレクトの可否を確認するために該当の対象をアラート（ａｌｅｒｔ）対象に変更してもよい（Ｓ３６０）。
【００４６】
図４を参照しながら、本発明に係るモバイルＵＲＬ提供方法の詳細なプロセスについて説明する。
【００４７】
まず、モバイルＵＲＬ提供システムでは、ウェブ上に存在する全体的なＰＣ  ＵＲＬを抽出した後（Ｓ４０１）、各ＰＣ  ＵＲＬに対してモバイルＵＲＬの存在の有無、言い換えれば、モバイルＵＲＬがマッピングされているかを確認してもよい（Ｓ４０２）。
【００４８】
モバイルＵＲＬ提供システムでは、ＰＣ  ＵＲＬにマッピングされたモバイルＵＲＬが存在しない場合には、ウェブロボットを活用して該当のＰＣ  ＵＲＬに対してモバイルＵＲＬを収集してもよい（Ｓ４０３）。このとき、モバイルＵＲＬ提供システムは、ユーザエージェントをモバイル機器に変更してモバイルＵＲＬを収集してもよい。一例として、モバイルＵＲＬ提供システムは、ＰＣ  ＵＲＬ内で収集されたリンク情報とリンク名（ａｎｃｈｏｒ  ｔｅｘｔ）からモバイル／モバイルウェブの関連情報を抽出する方式を利用してモバイルＵＲＬを収集してもよい。他の例として、モバイルＵＲＬ提供システムは、ＰＣ  ＵＲＬに関するウェブ文書（該当のサイト内の文書またはニュース、ブログなどの掲示物など）からモバイル／モバイルウェブの関連情報を抽出する方式を利用してモバイルＵＲＬを収集してもよい。さらに他の例として、モバイルＵＲＬ提供システムは、ユーザがＰＣ  ＵＲＬを選択することによってユーザのモバイル機器に最終的にランディングされたページのＵＲＩからモバイルＵＲＬを抽出して収集してもよい。
【００４９】
次に、モバイルＵＲＬ提供システムは、収集されたモバイルＵＲＬに対して有効性を判断してもよい（Ｓ４０４）。このとき、モバイルＵＲＬ提供システムは、収集されたモバイルＵＲＬに対してリダイレクトの可否（Ｔ／Ｆ）、メタタグに含まれたモバイルオプションの有無（Ｔ／Ｆ）、モバイルＵＲＬとして検証されたストリングの含有の有無（Ｔ／Ｆ）のうちの少なくとも１つの属性を利用して有効なモバイルＵＲＬを選別してもよい。そして、モバイルＵＲＬ提供システムは、収集されたモバイルＵＲＬが有効であると判断される場合、該当のＰＣ  ＵＲＬに有効なモバイルＵＲＬを追加し、検索結果としてＰＣ  ＵＲＬと共に表示してもよい（Ｓ４０５）。モバイルＵＲＬがマッピングされていないＰＣ  ＵＲＬについて、モバイルＵＲＬの収集に失敗した場合や、収集されたモバイルＵＲＬが有効情報でない場合には、検索結果として該当のＰＣ  ＵＲＬだけが表示されてもよい（Ｓ４０８）。
【００５０】
一方、モバイルＵＲＬ提供システムは、ＰＣ  ＵＲＬにマッピングされたモバイルＵＲＬが存在する場合には、該当のモバイルＵＲＬに対するウェブロボット検証を実行してもよい（Ｓ４０６）。このとき、モバイルＵＲＬ提供システムは、ＰＣ  ＵＲＬに対してユーザのモバイル機器に最終的にランディングされたページのＵＲＩおよび属性値（リダイレクトの可否、メタタグに含まれたモバイルオプションの有無、モバイルＵＲＬとして検証されたストリングの含有の有無）を収集および格納してもよい。次に、モバイルＵＲＬ提供システムは、ＰＣ  ＵＲＬにマッピングされたモバイルＵＲＬに対し、リダイレクトの可否（Ｔ／Ｆ）、メタタグに含まれたモバイルオプションの有無（Ｔ／Ｆ）、モバイルＵＲＬとして検証されたストリングの含有の有無（Ｔ／Ｆ）のうちの少なくとも１つの属性を利用して有効なモバイルＵＲＬを選別してもよい（Ｓ４０７）。ここで、モバイルＵＲＬ提供システムは、ＰＣ  ＵＲＬにマッピングされたモバイルＵＲＬが有効であると判断される場合、該当のＰＣ  ＵＲＬに有効なモバイルＵＲＬを追加し、検索結果としてＰＣ  ＵＲＬと共に表示してもよい（Ｓ４０５）。この反面、モバイルＵＲＬがマッピングされているＰＣ  ＵＲＬに対し、最終的にランディングされたページのＵＲＩや属性値の収集に失敗した場合や、マッピングされたモバイルＵＲＬが有効情報でない場合には、検索結果として該当のＰＣ  ＵＲＬだけが表示されてもよい（Ｓ４０８）。
【００５１】
上述したモバイルＵＲＬ提供方法は、図１〜図３を参照しながら説明したモバイルＵＲＬ提供システムの詳細内容に基づき、さらに短縮された動作または追加される動作を含んでもよい。また、２つ以上の動作が組み合わされてもよく、動作の順序や位置が変更されてもよい。
【００５２】
このように、本発明の実施形態によれば、検索サービスの検索結果にモバイルＵＲＬが表示されないウェブサイトに対してモバイルＵＲＬを自動で収集し、収集されたモバイルＵＲＬを検索結果に反映することができる。また、本発明の実施形態によれば、モバイルリダイレクトのＵＲＬの収集対象の有効性を直接評価して検索結果に追加するモバイルＵＲＬを選別することにより、検索結果に正確度が高い対象を反映することができる。さらに、本発明の実施形態によれば、モバイル検索環境で検索結果にモバイルＵＲＬを積極的に表示することにより、モバイルウェブサイトの認知度はもちろん、使用性も向上させることができる。
【００５３】
以上のように説明された装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる他の装置のように、１つ以上の汎用コンピュータまたは特殊目的コンピュータを利用して実現されてもよいことが理解できるであろう。処理装置は、オペレーティングシステム（ＯＳ）およびオペレーティングシステム上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよい。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００５４】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望とおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって接続されたコンピュータシステム上に分散し、分散した方法によって格納されたり実行されたりしてもよい。ソフトウェアおよびデータは、１つ以上のコンピュータで読み取り可能な記録媒体に格納されてもよい。
【００５５】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知な使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００５６】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、説明されたシステム、構造、装置、回路などの構成要素が説明された方法とは異なる形態で結合または組み合わされたり、他の構成要素または均等物によって対置されたり置換されたとしても、適切な結果を達成することができる。
【００５７】
したがって、異なる実施形態であっても、特許請求の範囲と均等なものであれば、添付される特許請求の範囲に属する。
【符号の説明】
【００５８】
２００：モバイルＵＲＬ提供システム
２１０：収集部
２２０：判断部
２３０：提供部
【図１】
2014186719.tif 000003
【図２】
2014186719.tif 000004
【図３】
2014186719.tif 000005
【図４】
2014186719.tif 000006